(57)【要約】【課題】ドライバの死角となる場所を撮影して表示するに際し、ドライバが死角となる場所を容易に認識できる表示を行う。【解決手段】画像処理装置３０が、カメラ１０で撮影された車両周辺の画像の画像データを入力し、入力した画像データを、車両の運転席（ドライバ）の視点から車両の車室内に備えられたモニタ４０側を見た視点にアフィン変換すると共に、アフィン変換した画像をモニタ４０に表示させる。【選択図】図１
2007329611.tif 000002
【特許請求の範囲】
【請求項１】
車両（５０）に搭載されると共に、前記車両の運転席から死角となる場所を撮影する撮影手段（１０）で撮影された車両周辺の画像の画像データを入力し、当該画像の画像データに基づいて、前記撮影手段の視点で撮影された画像を前記車両の運転席の視点（７０）で見た画像となるように視点変換した後、当該視点変換した画像を前記運転席の視点から表示手段（４０）を見たときの画角に合わせて前記表示手段に表示する画像処理手段（３０）を備えたことを特徴とする車両周辺監視装置。
【請求項２】
前記視点変換を、アフィン変換により行っていることを特徴とする請求項１に記載の車両周辺監視装置。
【請求項３】
前記画像処理手段は、前記表示手段に画像表示させることを示す画像表示信号を出力する前記信号入力手段（２０）から当該画像表示信号を入力した場合、前記撮影手段から前記画像データを入力すると共に、この画像データを視点変換するようになっていることを特徴とする請求項１または２に記載の車両周辺監視装置。
【請求項４】
前記画像処理手段は、
前記撮影手段で撮影された前記画像の画像データを取得する画像データ取得手段（１２０）と、
前記画像データ取得手段にて取得された前記画像データを視点変換すると共に、当該視点変換した画像の中から前記運転席の視点から前記表示手段を見たときの画角、位置、サイズに対応する部分を抽出する視点変換手段（１３０）と、
前記視点変換手段にて取得された画像の画像データを前記表示手段に入力することで、当該表示手段に画像表示を行う画像表示手段（１４０）と、を備えていることを特徴とする請求項１ないし３のいずれか１つに記載の車両周辺監視装置。
【請求項５】
前記撮影手段は、前記運転席から死角となる場所を含む範囲を撮影する第１撮影手段（１１）と、前記運転席から死角となる場所を撮影する第２撮影手段（１２）と、を備えて構成され、これら第１撮影手段および第２撮影手段にて車両周辺が撮影されるようになっており、
前記画像処理手段は、
前記第１撮影手段で撮影された第１画像の第１画像データを取得する第１画像データ取得手段（２２０）と、
前記第２撮影手段で撮影された第２画像の第２画像データを取得する第２画像データ取得手段（２３０）と、
前記第１画像データおよび前記第２画像データをそれぞれ視点変換すると共に、前記第２画像データを視点変換したものを、前記第１画像データを視点変換したものに貼り付けて１枚の画像を生成し、生成した画像の中から前記運転席の視点から前記表示手段を見たときの画角、位置、サイズに対応する部分を抽出する視点変換手段（２４０）と、
前記視点変換手段にて取得された画像の画像データを前記表示手段に入力することで、当該表示手段に画像表示を行う画像表示手段（２５０）と、を備えていることを特徴とする請求項１ないし３のいずれか１つに記載の車両周辺監視装置。
【請求項６】
車両（５０）に搭載されると共に、前記車両の運転席から死角となる場所を撮影する撮影手段（１０）と、
前記撮影手段で撮影された車両周辺の画像の画像データを入力し、当該画像の画像データに基づいて、前記撮影手段の視点で撮影された画像を前記車両の運転席の視点（７０）で見た画像となるように視点変換する画像処理手段（３０）と、
前記画像処理手段で視点変換された画像を前記運転席の視点から見たときの画角に合わせて表示する表示手段（４０）と、を備えたことを特徴とする車両周辺監視システム。
【請求項７】
車両（５０）に搭載されると共に前記車両の運転席から死角となる場所を撮影する撮影手段（１０）で撮影された車両周辺の画像の画像データを画像処理手段（３０）に入力し、当該画像の画像データに基づいて、前記撮影手段の視点で撮影された画像を前記車両の運転席の視点（７０）で見た画像となるように視点変換した後、当該視点変換した画像を前記運転席の視点から表示手段（４０）を見たときの画角に合わせて前記表示手段に表示することを特徴とする車両周辺監視方法。
【発明の詳細な説明】
【技術分野】
【０００１】
本発明は、ドライバにとって死角となる車両の周囲を撮影すると共に、撮影した映像を運転席（ドライバ）の視点に合わせて表示する車両周辺監視装置、車両周辺監視システム、および車両周辺監視方法に関する。
【背景技術】
【０００２】
従来より、車両に搭乗したドライバに当該ドライバの死角を認識させる方法として、ドライバの死角となる場所をカメラで撮影すると共に、撮影した映像をナビゲーション装置のモニタ等に表示する手法が、例えば非特許文献１〜３で提案されている。
【０００３】
このようにして、カメラでドライバの死角となる場所を撮影する場合、車両の意匠の問題からカメラを搭載する位置が限定される。このため、広角のカメラを用いることで、広範囲を撮影して表示することや、車両の周囲に位置する物体と車両との距離感を掴み易くするために鳥瞰図に変換して表示することが実施されている。
【非特許文献１】“NISSAN | NEWS PRESS RELEASE”、[online]、２００５年９月３０日、日産ホームページ、［２００６年４月１３日検索］、インターネット＜ＵＲＬ：1149639226359_0.html＞
【非特許文献２】“日産、車載カメラでクルマの周囲360°を表示する「Around View Monitor」を開発 - Automotive Technology - Tech-On!”、[online]、２００５年２月２３日、日経ＢＰ社ホームページ、［２００６年４月１３日検索］、インターネット＜ＵＲＬ：1149639226359_1＞
【非特許文献３】“toyota.jp エスティマ”、[online]、トヨタホームページ、［２００６年４月１３日検索］、インターネット＜ＵＲＬ：1149639226359_2.html＞
【発明の開示】
【発明が解決しようとする課題】
【０００４】
しかしながら、上記従来の技術では、ドライバの視点と、モニタに表示されるカメラの視点とが大きくかけ離れている。この場合、ドライバの視点のみでなく、表示映像の画角や方向についても同様である。このため、モニタに表示される車両と車両の周囲の物体と自己との位置関係を認識するために、ドライバは頭の中で３次元的な位置関係を整理する必要があり、必ずしも直感的に理解しやすい表示とは言えない。このため、ドライバがモニタを注視する時間が増え、ドライバの負担が増加することとなり、安全上好ましくない。
【０００５】
本発明は、上記点に鑑み、ドライバの死角となる場所を撮影して表示するに際し、ドライバが死角となる場所を容易に認識できるように表示することができる車両周辺監視装置、車両周辺監視システム、および車両周辺監視方法を提供することを目的とする。
【課題を解決するための手段】
【０００６】
上記目的を達成するため、本発明は、画像処理手段（３０）が、車両（５０）の運転席から死角となる場所を撮影する撮影手段（１０）で撮影された車両周辺の画像の画像データを入力し、この画像データに基づいて、撮影手段の視点で撮影された画像を車両の運転席の視点（７０）で見た画像となるように視点変換し、視点変換した画像を運転席の視点から表示手段（４０）を見たときの画角に合わせて表示手段に表示させることを特徴とする。
【０００７】
このように、撮影手段で撮影した画像を、運転席の視点から見た視点に視点変換する処理を行い、処理した画像を表示手段に表示する。これにより、運転席に座っているドライバは、運転席から離れなくても、表示手段を通じて車両の周囲の死角となる部分を見ることができる。すなわち、ドライバは表示手段を見ている方向の死角となる部分が、ドライバの視点や画角が変わることなく車両が透けるように（スケルトン）表示されることとなる。このため、ドライバは車両の周囲と運転席との位置関係を容易に把握できる。したがって、ドライバが表示手段を注視する時間を削減することができる。
【０００８】
この場合、視点変換を、幾何学的変換であるアフィン変換により行う。これにより、撮影手段で撮影された画像の視点補正を行うことができる。
【０００９】
また、画像処理手段において、表示手段に画像表示させることを示す画像表示信号を出力する信号入力手段（２０）から当該画像表示信号を入力した場合に画像データの視点変換を行うようにすることができる。
【００１０】
これにより、信号入力手段を例えばスイッチ手段とし、ドライバがこのスイッチ手段を操作することによって、表示手段に車両の周囲の死角となる場所を表示することができる。また、信号入力手段を例えば距離センサとし、当該距離センサが車両周囲の障害物を検知したときに画像表示信号を画像処理手段に出力するようにすることもできる。
【００１１】
上記画像処理手段を、撮影手段で撮影された画像の画像データを取得する画像データ取得手段（１２０）と、画像データ取得手段にて取得された画像データを視点変換すると共に、当該視点変換した画像の中から運転席の視点から表示手段を見たときの画角、位置、サイズに対応する部分を抽出する視点変換手段（１３０）と、視点変換手段にて取得された画像の画像データを表示手段に入力することで、当該表示手段に画像表示を行う画像表示手段（１４０）と、を備えた構成とすることもできる。
【００１２】
また、撮影手段として、第１撮影手段（１１）と第２撮影手段（１２）とを備えた構成とすることができ、画像処理手段を、第１撮影手段で撮影された第１画像の第１画像データを取得する第１画像データ取得手段（２２０）と、第２撮影手段で撮影された第２画像の第２画像データを取得する第２画像データ取得手段（２３０）と、第１画像データおよび第２画像データをそれぞれ視点変換すると共に、第２画像データを視点変換したものを、第１画像データを視点変換したものに貼り付けて１枚の画像を生成し、生成した画像の中から運転席の視点から表示手段を見たときの画角、位置、サイズに対応する部分を抽出する視点変換手段（２４０）と、視点変換手段にて取得された画像の画像データを表示手段に入力することで、当該表示手段に画像表示を行う画像表示手段（２５０）と、を備えた構成とすることもできる。
【００１３】
このように２以上の撮影手段で撮影することで、より広角に車両の周囲を撮影することができる。これにより、表示手段に表示される画像の中に、例えばフロントガラス越しに直視できる像と一致する部分が増えるので、ドライバの頭の中での位置関係がよりスムーズに認識されるようにすることができる。
【００１４】
以上では、本発明を車両周辺監視装置として把握した場合について説明したが、本発明は車両周辺監視システムとして構成することができ、物の発明に限らず、方法の発明としても把握することができる。
【００１５】
なお、上記各手段の括弧内の符号は、後述する実施形態に記載の具体的手段との対応関係を示すものである。
【発明を実施するための最良の形態】
【００１６】
以下、本発明の実施形態について図に基づいて説明する。なお、以下の各実施形態相互において、互いに同一もしくは均等である部分には、図中、同一符号を付してある。
【００１７】
（第１実施形態）
以下、本発明の第１実施形態について図を参照して説明する。本実施形態で示される車両周辺監視装置は、車両に搭乗したドライバの死角となる車両の周囲を撮影してモニタ表示することにより、ドライバが車両周囲の障害物を把握するための補助となるものである。
【００１８】
図１は、本発明の第１実施形態に係る車両周辺監視装置のブロック構成図である。この図に示されるように、車両周辺監視装置Ｓ１は、カメラ１０と、信号入力装置２０と、画像処理装置３０と、モニタ４０と、を備えて構成されている。
【００１９】
カメラ１０は、車両の周囲を撮影するものであり、例えば１秒間に１５枚の画像を撮影する。撮影された１枚１枚の画像は、連続して表示されることで動画として認識される。このカメラ１０にて撮影された画像のデータは、画像処理装置３０に出力される。なお、カメラ１０は既に車両に搭載されたものを用いるようにしても構わない。また、カメラ１０は、本発明の撮影手段に相当する。
【００２０】
図２は、上記カメラ１０にて車両の前方を撮影する様子を示した図である。この図２のうち、（ａ）は車両の上面図、（ｂ）は（ａ）の側面図である。図２（ａ）に示されるように、本実施形態では、カメラ１０は車両５０の前部に設置されており、撮影範囲６０は前方１８０°になっている。
【００２１】
また、図２（ａ）、（ｂ）に示されるように、運転席（ドライバ）の視点７０から車両５０の左前方を見たとき、ドライバの視点７０からでは、車両５０のフロントバンパの左コーナー付近が死角となって見えない。したがって、本実施形態では、カメラ１０で車両５０のフロントバンパの左コーナー付近を撮影し、撮影した画像の画像データを後述する画像処理装置３０にて視点変換処理した後、視点変換処理した画像をモニタ４０に画像表示することとなる。
【００２２】
信号入力装置２０は、カメラ１０で撮影された画像をモニタ４０に表示するためのスイッチ手段である。すなわち、ドライバがこの信号入力装置２０を操作することにより、信号入力装置２０からモニタ４０に画像表示させることを示す画像表示信号が画像処理装置３０に入力されることで、カメラ１０で撮影された画像が画像処理装置３０を介してモニタ４０に表示される。このような信号入力装置２０は、例えばステアリングに設けられている。なお、信号入力装置２０は、本発明の信号入力手段に相当する。
【００２３】
画像処理装置３０は、カメラ１０で撮影された画像の画像データを画像処理する機能を有するものである。具体的に、画像処理装置３０は、視点変換処理として、カメラ１０から入力した画像をアフィン変換すると共に、アフィン変換した画像の中からドライバの視点７０および画角に合った部分を選択する。アフィン変換とは、図形や形状の視点補正を行う幾何学的な変換方式である。
【００２４】
なお、アフィン変換は周知の幾何学的変換方式であり、本実施形態ではその詳細な説明を割愛する。このアフィン変換については、例えば『画像処理工学』（コロナ社、メカトロニクス教科書シリーズ９、末松良一、山田宏尚著、ｐ１１４）等に詳細な説明の記載がある。
【００２５】
このような機能を有する画像処理装置３０として、例えばメモリやＣＰＵ等を備えたマイクロコンピュータ等によって構成されるＥＣＵが採用される。そして、画像処理装置３０は、カメラ１０で撮影された画像をアフィン変換する画像処理プログラムを有している。この画像処理プログラムは、メモリに格納され、ＣＰＵによって実行される。また、ドライバの視点７０の位置や、ドライバの視点７０からモニタ４０を見たときの画角のデータがメモリにあらかじめ記憶されている。なお、画像処理装置３０は、本発明の画像処理手段に相当する。
【００２６】
モニタ４０は、上記画像処理装置３０で変換された映像を表示するものであり、例えば車両５０のインストルメントパネルに備え付けられた液晶パネルが採用される。図２（ａ）、（ｂ）に示されるように、本実施形態では、モニタ４０はインストルメントパネルのうち中央付近、一般的な車載ナビゲーションシステムのモニタと同様の位置に設置されている。なお、モニタ４０は、本発明の表示手段に相当する。以上が、本実施形態に係る車両周辺監視装置Ｓ１の全体構成である。
【００２７】
次に、上記画像処理装置３０において行われる画像処理について、図３を参照して説明する。図３は、画像処理プログラムの内容を示すフローチャートである。本実施形態では、車両周辺監視装置Ｓ１に電源が供給されると、画像処理プログラムに従って図３に示されるフローがスタートする。
【００２８】
ステップ１１０では、信号入力装置２０から画像処理装置３０に画像表示信号が入力されたか否かが判定される。すなわち、ドライバによって信号入力装置２０が操作されたことによって、信号入力装置２０から画像表示信号が入力されたかがモニタされる。
【００２９】
本ステップにて画像処理装置３０に画像表示信号が入力されたと判定されると、ステップ１２０に進む。一方、本ステップにて画像処理装置３０に画像表示信号が入力されないと判定されると、本ステップにて繰り返し画像表示信号の入力がモニタされる。
【００３０】
ステップ１２０（画像データ取得手段）では、カメラ画像が取得される。すなわち、カメラ１０で撮影された画像の画像データが画像処理装置３０に入力される。
【００３１】
ステップ１３０（視点変換手段）では、画像処理が行われる。具体的には、ステップ１２０で取得された画像データがアフィン変換されることで、カメラ１０の視点で撮影された画像が、ドライバの視点７０からモニタ４０側を見た画像に視点補正される。
【００３２】
さらに、図２（ａ）、（ｂ）に示されるように、ドライバが当該ドライバの視点７０からモニタ４０を見たとき、ドライバにとって死角となる車両５０のフロントバンパの左コーナー付近をモニタ４０に表示すべく、ドライバの視点７０からモニタ４０を見たときの画角や位置、サイズに合わせてアフィン変換された画像の中から対応する部分が抽出される。
【００３３】
ステップ１４０（画像表示手段）では、画像表示が行われる。すなわち、上記ステップ１３０にて得られたアフィン変換後の画像データがモニタ４０に入力され、モニタ４０に画像表示がなされる。これにより、ドライバは、図２（ｂ）に示されるように、死角となる車両５０のフロントバンパの左コーナー付近が車両５０が透けるように（スケルトン）表示されているように認識することができる。
【００３４】
この後、ステップ１１０に戻り、画像表示信号が信号入力装置２０から画像処理装置３０に入力され続ける限り、上記ステップ１１０〜１４０が繰り返し実行されることとなる。
【００３５】
以上説明したように、本実施形態では、カメラ１０で撮影した画像の画像データを運転席（ドライバ）の視点７０に合うようにアフィン変換し、アフィン変換した画像をモニタ４０に表示することを特徴としている。すなわち、カメラ１０で撮影した画像を、ドライバの視点７０から見たものとなるようにアフィン変換し、アフィン変換した画像の中からドライバの視点７０や画角に合う部分を抽出して表示する。
【００３６】
これにより、ドライバにとってモニタ４０を見ている方向の死角となる場所を、ドライバの視点７０や画角を変えることなくモニタ４０に車両５０が透けるように（スケルトン）表示することができる。このため、運転席に座っているドライバは、車両５０の周囲と運転席との位置関係を容易に把握できる。したがって、ドライバがモニタ４０を注視する時間を削減することができる。
【００３７】
本実施形態では、上述のように、得られた画像をアフィン変換することによりドライバの視点７０に応じた画像を得ることができる。すなわち、ドライバの死角となる部分に必ずしもカメラ１０を設置する必要はなく、既に車両５０に搭載されたカメラ１０を用いて上記画像処理を行うことができる。
【００３８】
（第２実施形態）
本実施形態では、第１実施形態と異なる部分についてのみ説明する。第１実施形態では、車両５０のフロント部分に設置された１台のカメラ１０にて車両５０の前方を撮影していたが、本実施形態では、２台のカメラで撮影された各画像をそれぞれアフィン変換してモニタ４０に表示することが特徴となっている。
【００３９】
図４は、本発明の第２実施形態に係る車両周辺監視装置のブロック構成図である。この図に示されるように、車両周辺監視装置Ｓ２は、第１実施形態に係る構成（信号入力装置２０、画像処理装置３０、モニタ４０）に対し、車両５０の周囲を撮影するものとして、第１カメラ１１および第２カメラ１２が備えられた構成となっている。
【００４０】
図５は、車両５０に第１カメラ１１および第２カメラ１２を設置した模式図である。第１カメラ１１は、ドライバ（運転席）から死角となる場所を含む範囲を撮影するものである。すなわち、図５に示されるように、第１カメラ１１はドライバの視点７０から車両５０のフロントバンパの左コーナー方向を撮影する向きで車室内（例えばルームミラー付近）に設置されている。しかし、第１カメラ１１は前記死角部分を撮影することは出来ない。また、第２カメラ１２は、ドライバ（運転席）から死角となる場所を撮影するものである。すなわち、図５に示されるように、第２カメラ１２は、第１カメラ１１の場合と同様に、車両５０のフロントバンパの左コーナー方向を撮影する向きで左ヘッドライト５１内に設置されている。
【００４１】
また、本実施形態では、図５に示されるように、車両５０のフロントバンパの左コーナー付近に障害物８０が存在する。
【００４２】
次に、本実施形態に係る画像処理装置３０において行われる画像処理について、図６を参照して説明する。図６は、第２実施形態に係る画像処理プログラムの内容を示すフローチャートである。本実施形態では、車両周辺監視装置Ｓ２に電源が供給されると、画像処理プログラムに従って図６に示されるフローがスタートする。
【００４３】
まず、ステップ２１０では、図３に示されるステップ１１０と同様の処理が行われる。そして、ステップ２２０（第１画像データ取得手段）では、第１カメラ画像が取得される。すなわち、第１カメラ１１で撮影された画像の画像データが画像処理装置３０に入力される。図７は、第１カメラ１１で車両５０のフロントバンパの左コーナー方向を撮影した一例を示した図である。この図に示されるように、第１カメラ１１で撮影された画像に図５に示される障害物８０は撮影されていない。なお、図７中、車両５０の部分をハッチングして示してある。
【００４４】
ステップ２３０（第２画像データ取得手段）では、第２カメラ画像が取得される。すなわち、第２カメラ１２で撮影された画像の画像データが画像処理装置３０に入力される。図８は、第２カメラ１２で車両５０のフロントバンパの左コーナー方向を撮影した一例を示した図である。この図に示されるように、第２カメラ１２で撮影された画像に図５に示される障害物８０は撮影されている。なお、図８中、車両５０の部分をハッチングで示してある。
【００４５】
ステップ２４０（視点変換手段）では、画像処理が行われる。具体的には、ステップ１３０と同様に、ステップ２２０、２３０で取得された各画像の画像データがアフィン変換されることで、画像の視点補正が行われる。すなわち、第１カメラ１１または第２カメラ１２の各視点でそれぞれ撮影された各画像が、ドライバの視点７０からモニタ４０側を見た画像にそれぞれ視点補正される。この後、アフィン変換された各画像が合成される。
【００４６】
図９は、アフィン変換された各画像を合成した図である。この図に示されるように、図７および図８で示される各画像がアフィン変換された後、図８に示される画像がアフィン変換されたものが、図７に示される画像がアフィン変換されたものに合成される。なお、図９中において、図７に示される画像をアフィン変換したものを貼り付けた領域を点線で示すと共に、車両５０の部分をハッチングで示してある。
【００４７】
なお、図９中の図８に対応する画像の配置座標をあらかじめ決めておくことで、図７に示される画像をアフィン変換したものの中に、図８に示される画像をアフィン変換したものを貼り付け、図９に示される画像を得ることができる。
【００４８】
そして、図９に示される画像の中から、ドライバの視点７０からモニタ４０を見たときの画角や位置、サイズに合わせてアフィン変換された図９に示される画像の中から対応する部分が抽出される。
【００４９】
ステップ２５０（画像表示手段）では、ステップ１４０と同様に、画像表示が行われる。この後、ステップ２１０に戻り、画像表示信号が信号入力装置２０から画像処理装置３０に入力され続ける限り、上記ステップ２１０〜２５０が繰り返し実行されることとなる。
【００５０】
以上説明したように、本実施形態では、複数のカメラ１１、１２で車両５０の周囲を撮影することにより、車両５０の周囲をより広角に撮影することができる。これにより、モニタ４０に表示される画像の景色が、ドライバがフロントガラス越しに直視できる景色と一致する部分が増えるため、ドライバの頭の中での位置関係がよりスムーズに認識されるようにすることができる。
【００５１】
（他の実施形態）
上記各実施形態では、車両５０のフロントバンパの左コーナー付近に位置する障害物８０をモニタ４０にてスケルトン表示する場合について説明したが、例えばメータに備えられたモニタ（液晶パネル等）に車両５０のフロントバンパの右コーナー付近の映像を表示するようにしても構わない。
【００５２】
また、上記カメラ１０を車両５０の後部に取り付けて車両後部のリアバンパ付近を撮影すると共に、撮影した画像をアフィン変換し、このアフィン変換した画像をモニタとしても機能するルームミラーに表示するようにしても良い。
【００５３】
このようにルームミラーに車両５０の後方の状況を表示する場合、信号入力装置２０としてシフトレバーを採用する。そして、例えばシフトレバーがＲ（リバース）の場合、信号入力装置２０から画像処理装置３０に画像表示信号を出力すれば良い。
【００５４】
上記各実施形態では、信号入力装置２０として例えばステアリングに備えられたスイッチ手段を採用しているが、信号入力装置２０として例えば車両５０の周辺に位置する障害物８０を検知するための距離センサ（超音波センサ、電磁波センサ、赤外線センサなど）を採用することもできる。
【００５５】
このように信号入力装置２０として距離センサを用いる場合、距離センサにて車両５０の周囲に障害物を検知したときに画像表示信号を画像処理装置３０に出力する。これにより、車両５０に近接する障害物が存在する場合、その障害物が何かであるかを画像表示してドライバに知らせることができる。
【００５６】
また、上記のようにして距離センサを用いて画像表示を行う際、画像処理装置３０によって図示しないスピーカーからアラーム（警告音）を鳴らすようにしても構わない。これにより、ドライバに注意を促すことができる。
【００５７】
上記各実施形態では、モニタ４０の全面に画像処理した画像を表示するようにしているが、ナビゲーション装置用のモニタやマルチインフォメーションモニタに画像表示する場合、全画面を切り替えるのではなく、マルチ画面としてスーパーインポーズ表示する。これにより、ドライバおよび他の乗員の視聴を妨げることを防止できる。
【００５８】
なお、各図中に示したステップは、各種処理を実行する手段に対応するものである。
【図面の簡単な説明】
【００５９】
【図１】本発明の第１実施形態に係る車両周辺監視装置のブロック構成図である。
【図２】カメラにて車両の前方を撮影する様子を示した図であり、（ａ）は車両の上面図、（ｂ）は（ａ）の側面図である。
【図３】画像処理プログラムの内容を示すフローチャートである。
【図４】本発明の第２実施形態に係る車両周辺監視装置のブロック構成図である。
【図５】第２実施形態において、車両に第１カメラおよび第２カメラを設置した模式図である。
【図６】第２実施形態に係る画像処理プログラムの内容を示すフローチャートである。
【図７】第１カメラで車両のフロントバンパの左コーナー方向を撮影した一例を示した図である。
【図８】第２カメラで車両のフロントバンパの左コーナー方向を撮影した一例を示した図である。
【図９】第２実施形態において、アフィン変換された各画像を合成した図である。
【符号の説明】
【００６０】
１０…撮影手段としてのカメラ、１１…第１撮影手段としての第１カメラ、１２…第２撮影手段としての第２カメラ、２０…信号入力装置、３０…画像処理装置、４０…モニタ、５０…車両、７０…運転席（ドライバ）の視点、１２０…画像データ取得手段、１３０、２４０…視点変換手段、１４０、２５０…画像表示手段、２２０…第１画像データ取得手段、２３０…第２画像データ取得手段。
【図１】
2007329611.tif 000003
【図２】
2007329611.tif 000004
【図３】
2007329611.tif 000005
【図４】
2007329611.tif 000006
【図５】
2007329611.tif 000007
【図６】
2007329611.tif 000008
【図７】
2007329611.tif 000009
【図８】
2007329611.tif 000010
【図９】
2007329611.tif 000011